(57)【要約】      （修正有）【課題】取り付け作業、及び、使用後の取り外し作業が容易であり、かつ、使用状態の維持能力が高いリベットを提供する。ＬＥＤランプの容易な脱着作業を防止し、かつ、既設の照明支持具にも容易に対応する。【解決手段】リベット１は、第１部材３と、第２部材５とを含む。第１部材３は、表面３１１が無段差の連続面となっている頭部３１と、頭部３１の裏面３１２から突出する挿入部３３とを有している。第２部材５は、一方向に延びる挿入孔５９５を有する脚部５５と、脚部５５の挿入孔５９５を包囲する側壁５５１に設けられる鍔部５１、５３とを有している。リベット１は、第２部材５の挿入孔５９５に、第１部材３の挿入部３３を挿入されるとき、第１部材３の頭部３１の外周全体が、平面視して、第２部材５の鍔部５３の外周によって囲まれる領域内に位置し、第２部材５の脚部５５が拡径する。【選択図】図８
2014101995.tif 000002
【特許請求の範囲】
【請求項１】
第１部材と、第２部材とを含むリベットであって、
前記第１部材は、表面が無段差の連続面となっている頭部と、前記頭部の裏面から突出する挿入部とを有しており、
前記第２部材は、一方向に延びる挿入孔を有する脚部と、前記脚部の前記挿入孔を包囲する側壁に設けられる鍔部とを有しており、
前記第２部材の前記挿入孔に、前記第１部材の前記挿入部を挿入されるとき、前記第１部材の前記頭部の外周全体が、平面視して、前記第２部材の前記鍔部の外周によって囲まれる領域内に位置し、前記第２部材の前記脚部が拡径する、
リベット。
【請求項２】
請求項１に記載されたリベットであって、
前記第１部材は、前記挿入部が前記第２部材の前記挿入孔に挿入されるとき、前記頭部が、前記第２部材の鍔部の上面全体を触れられないように覆う、
リベット。
【請求項３】
リベットと、固定金具とを含む照明脱着防止具であって、
前記リベットは、請求項１又は２に記載されたものであり、
前記固定金具は、アーチ状に湾曲し、前記リベットを通すことができる取付孔が設けられている、
照明脱着防止具。
【請求項４】
ＬＥＤランプと、照明支持具と、照明脱着防止具とを含む照明装置であって、
前記照明支持具は、ソケットを有し、
前記ＬＥＤランプは、前記ソケットに装着されており、
前記照明防止具は、請求項３に記載されたものであって、前記ＬＥＤランプを跨ぐように前記照明支持具に装着されている、
照明装置。
【発明の詳細な説明】
【技術分野】
【０００１】
本発明は、リベット、照明脱着防止具、及び、照明装置に関する。
【背景技術】
【０００２】
従来、複数の物体を互いに結合するためには、例えば、特許文献１に開示されているようなリベットを用いる方法が知られている。特許文献１に開示されているリベットは、中空リベット本体に挿入ピンを押し込み、中空リベット本体の先端部を開拡させ、開拡した先端部、及び、鍔状の頭部の間において、中空リベット本体の貫通した複数の物体を結合する仕組みとなっている。
【０００３】
このようなリベットは、結合する物体の用途によっては、使用中に、物体から容易に取り外せるものであってはならず、使用状態の維持能力が高いものである必要がある。
【０００４】
特許文献１に開示されたリベットは、使用状態の維持能力を高めるため、挿入ピンの外周壁をローレット形状とし、挿入ピンを中空リベット本体から容易に押し抜きできない構造となっている。その分、挿入ピンを中空リベット本体に押し込む際には、一定以上の押し圧が必要となり、その押し込み作業には、ハンマー等の工具が必要となる。しかし、これでは、リベットの取り付け作業が容易とは言えない。
【０００５】
さらに、特許文献１に開示されたリベットは、使用を終えて、結合された物体から取り外す場合、中空リベット本体から挿入ピンを押し抜き、中空リベット本体の先端部の開拡を解除する必要がある。従って、押し抜かれた挿入ピンが物体内部に残存する不具合が生じる。物体内部に残存した挿入ピンは、物体の構造によっては、容易に取り出すことができず、不都合を生じる場合も少なくなく、リベットの取り外し作業が容易とは言えない。
【０００６】
また、近年、ソケットに脱着可能なＬＥＤランプが一般家庭等に急速に普及している。ＬＥＤランプには、直流変換機能を有するタイプと、その機能を有しないタイプとがあり、その機能を有しないタイプのＬＥＤランプがソケットに誤接続される危険性がある。
【０００７】
このような状況下、製品安全の観点からは、電気工事を熟知していない者による、ソケットへのＬＥＤランプの容易な脱着作業を防止する手法の確立が必要となっている。ＬＥＤランプは、ソケットを備える既設の照明支持具に装着されることが多く、その手法は、既設の照明支持具にも容易に対応できるものであることが望ましい。
【先行技術文献】
【特許文献】
【０００８】
【特許文献１】特開２０００−１７０７２８号公報
【発明の概要】
【発明が解決しようとする課題】
【０００９】
本発明の課題は、取り付け作業、及び、使用後の取り外し作業が容易であり、かつ、使用状態の維持能力が高いリベットを提供することである。
【００１０】
本発明のもう一つの課題は、ＬＥＤランプの容易な脱着作業を防止し、かつ、既設の照明支持具にも容易に対応する照明脱着防止具、及び、その照明脱着防止具を含む照明装置に関する。
【課題を解決するための手段】
【００１１】
上述した課題の少なくとも１つを解決するため、本発明に係るリベットは、第１部材と、第２部材とを含む。第１部材は、表面が無段差の連続面となっている頭部と、頭部の裏面から突出する挿入部とを有している。第２部材は、一方向に延びる挿入孔を有する脚部と、脚部の挿入孔を包囲する側壁に設けられる鍔部とを有している。第２部材の挿入孔に、第１部材の挿入部を挿入されるとき、第１部材の頭部の外周全体が、平面視して、第２部材の鍔部の外周によって囲まれる領域内に位置し、第２部材の脚部が拡径する。
【００１２】
上述したとおり、本発明に係るリベットは、第１部材と、第２部材とを含み、第１部材は、表面が無段差の連続面となっている頭部を有しているので、頭部の表面を容易に掴めない。従って、例えば、第１部材を第２部材に挿入した場合、第１部材は、頭部の表面を掴まれて、第２部材から容易に引き抜かれる不具合を生じないので、リベットの使用状態の維持能力が高い。また、第１部材は、表面に角部は生じないから、負傷防止効果が高い。
【００１３】
第１部材は、頭部の裏面から突出する挿入部を有し、第２部材は、一方向に延びる挿入孔を有する脚部を有しているので、第１部材の挿入部を第２部材の挿入孔に挿入しても、頭部が、その挿入孔の縁に掛止することによって、挿入方向に押し抜かれるという不具合を生じない。従って、リベットは、挿入部が物体の内部に残存する不具合を生じることはなくなり、使用後、物体からの取り外し作業が容易となる。さらに、リベットは、挿入部に押し抜き防止のためのローレットを設けることなく、頭部の表面を押すだけで、挿入部を挿入孔へ押し込むことが可能となるので、取り付け作業が容易となる。
【００１４】
第２部材は、脚部の挿入孔を包囲する側壁に設けられる鍔部とを有しているので、脚部が結合対象となる物体の貫通孔に挿入された場合、鍔部が貫通孔の縁に掛止することによって、挿入方向に容易に押し抜かれるという不具合を生じない。
【００１５】
第２部材は、第２部材の挿入孔に、第１部材の挿入部を挿入されるとき、脚部が拡径するので、脚部が、結合対象となる物体の貫通孔に挿入された状態で拡径すると、脚部を挿入方向と反対方向に引き抜こうとしても、脚部の拡径した部分が物体の貫通孔の縁に掛止することによって、物体から容易に引き抜かれる不具合を生じない。この場合、第２部材は、鍔部、及び、脚部の拡径した部分の間で複数の物体を挟持し、結合させることが可能となる。
【００１６】
第１部材は、第２部材の挿入孔に、挿入部を挿入されるとき、第１部材の頭部の外周全体が、平面視して、第２部材の鍔部の外周によって囲まれる領域内に位置するので、第２部材の脚部が、結合対象となる物体の貫通孔に挿入され、鍔部、及び、脚部の拡径した部分の間で物体を挟持する場合、物体から加えられる力が、第１部材に直接作用しなくなり、その力によって、第１部材が、第２部材から容易に引き抜かれる不具合を生じない。従って、リベットの使用状態の維持能力が高まる。
【００１７】
第１部材は、挿入部が第２部材の挿入孔に挿入されるとき、頭部が、第２部材の鍔部の上面全体を触れられないように覆うことが好ましい。このような構造によると、例えば、第１部材が第２部材に限界まで挿入されている場合、工具の先端を鍔部の上面に当てることができず、工具の先端を頭部、及び、鍔部の上面の境界に容易に突き当て、その境界に差し込むことができなくなる。従って、第１部材が、工具によって頭部を持ち上げられ、第１部材が第２部材から容易に引き抜かれる不具合を生じず、リベットの使用状態の維持能力が高まる。
【００１８】
本発明に係るリベットは、アーチ状に湾曲した固定金具と組み合わされて、照明脱着防止具を構成することもできる。固定金具は、アーチ部分によって、直管型ＬＥＤランプを跨ぐものである。固定金具は、リベットを通すことができる取付孔が設けられることによって、本発明に係るリベットを用いて、既設の照明支持具に固定できる。
【００１９】
このような照明脱着防止具は、照明支持具、及び、照明支持具に設けられているソケットに装着されたＬＥＤランプと組み合わされて、照明装置を構成する。照明装置において、照明脱着防止具は、固定金具が、ＬＥＤランプを跨ぐように、本発明に係るリベットによって照明支持具に装着されている。
【００２０】
本発明に係るリベットは、取り付け作業、及び、使用後の取り外し作業が容易であり、かつ、使用状態の維持能力が高く、子供等のいたずらによって、使用状態を容易に解除されることはない。従って、このような照明脱着防止具は、電気工事を熟知していない者による、ＬＥＤランプの容易な脱着作業を防止し、かつ、既設の照明支持具にも容易に対応できる。
【発明の効果】
【００２１】
以上に述べたように、本発明によれば、取り付け作業、及び、使用後の取り外し作業が容易であり、かつ、使用状態の維持能力が高いリベットを提供することができる。
【００２２】
さらに、本発明によれば、ＬＥＤランプの容易な脱着作業を防止し、かつ、既設のソケットにも容易に対応する照明脱着防止具、及び、その照明脱着防止具を含む照明装置を提供することができる。
【００２３】
本発明の構成、及び、利点については、添付図面を参照し、更に詳しく説明する。添付図面は、単に、例示に過ぎない。
【図面の簡単な説明】
【００２４】
【図１】本発明の実施形態に係るリベットの分解正面断面図である。
【図２】本発明の実施形態に係るリベットの正面図である。
【図３】図２の平面図である。
【図４】図２の底面図である。
【図５】図３の５−５線断面図である。
【図６】本発明の実施形態に係るリベットの使用状態を示す正面断面図である。
【図７】図６の比較例を示す正面断面図である。
【図８】本発明のもう一つの実施形態に係るリベットの使用状態を示す正面断面図である。
【図９】本発明の実施形態に係る照明脱着防止具の使用方法を示す斜視図である。
【図１０】本発明の実施形態に係る照明脱着防止具の使用状態を示す斜視図である。
【発明を実施するための形態】
【００２５】
図１乃至図１０において、同一符号は、同一、又は、対応部分を示すものとする。図１のリベットは、第１部材３と、第２部材５とを含んでいる。
【００２６】
第１部材３は、第２部材５に脱着可能に取り付けられるものであり、頭部３１と、挿入部３３とを有している。頭部３１は、ドーム型の形状であり、表面３１１が無段差の連続面となっている。挿入部３３は、頭部３１の裏面３１２から一方向に向かって突出し、頭部３１の裏面３１２との間に溝３５を形成している。この溝３５は、裏面３１２側から見ると、環状となっている。第１部材３は、例えば、弾性を有する合成樹脂によって形成できる。
【００２７】
第２部材５は、脚部５５を有している。脚部５５は、筒状の側壁５５１によって形成されており、側壁５５１の後端５５２によって囲まれる開口部５７３を有している。側壁５５１は、先端５５３から開口部５７３に向かうスリット５５４が形成されており、内面５５５の先端がテーパ面５５７となっている。側壁５５１は、例えば、弾性を有する合成樹脂によって形成できる。
【００２８】
脚部５５は、側壁５５１によって包囲された一方向に延びる挿入孔５９５を有している。挿入孔５９５は、開口部５７３からテーパ面５５７にまで至り、第１部材３の挿入部３３を挿入可能となっている。挿入孔５９５は、第１部材３の挿入部３３よりも多少小径に形成されているので、第１部材３の挿入部３３を圧入できる。脚部５５は、テーパ面５５７を押し込まれることによって、先端５５３が開拡し、拡径する仕組みとなっている。
【００２９】
第２部材５は、第１鍔部５１を有している。第１鍔部５１は、脚部５５の開口部５７３を取り囲むように、脚部５５の挿入孔５９５を包囲する側壁５５１の外面５５６に設けられており、上面５１１に対して、側端５１２が傾斜している。第１鍔部５１の上面５１１、及び、脚部５５の後端５５２は、同一面内に位置している。第１鍔部５１は、脚部５５の側壁５５１に強固に取り付けられており、側壁５５１から容易に分離されない。第１鍔部５１は、例えば、側壁５５１それ自体を鍔状に加工したものであってもよい。
【００３０】
第２部材５は、第２鍔部５３を有している。第２鍔部５３は、上面５３１から底面５３２に向かう貫通孔５３３を有した板材であり、脚部５５の側壁５５１の外面５５６に脱着可能に設けられるものである。第２鍔部５３は、貫通孔５３３が脚部５５よりも多少小径に形成されているので、貫通孔５３３に脚部５５を圧入できる。第２鍔部５３は、例えば、金属製のワッシャーであることが考えられる。
【００３１】
図２は、本発明の実施形態に係るリベットの正面図であり、図３は、図２の平面図であり、図４は、図２の底面図であり、図５は、図４の５−５線断面図である。
【００３２】
図２乃至図５を参照すると、リベットは、第２部材５の脚部５５が開拡しない程度に、第１部材３の挿入部３３が第２部材５の挿入孔５９５に圧入されている。第２部材５は、第２鍔部５３の貫通孔５３３に脚部５５の側壁５５１が圧入されている。第１部材３は、平面視して、頭部３１の外周Ｃ１全体が、第２部材５の第２鍔部５３の外周Ｃ２によって囲まれる領域内に位置する形状、及び、大きさとなっている。
【００３３】
図６は、本発明の実施形態に係るリベットの使用状態を示す正面断面図であり、図７は、図６の比較例を示す正面断面図である。図６に示すリベットの断面は、図５に示すリベットの断面に対応している。図６を参照すると、環状の取付物体７１が、板状の被取付物体７３にリベット１によって取り付けられており、被取付物体７３と結合状態にある。
【００３４】
第２部材５は、脚部５５の側壁５５１に第２鍔部５３が設けられており、第１鍔部５１が第２鍔部５３の貫通孔５３３の縁となる上面５３１に掛止した状態で、脚部５５が取付物体７１の取付孔７１１、及び、被取付物体７３の取付孔７３１に挿入されている。
【００３５】
第２部材５は、第２鍔部５３が取付物体７１の取付孔７１１の縁に掛止しており、脚部５５の挿入孔５９５に第１部材３の挿入部３３が挿入されており、脚部５５が挿入部３３によってテーパ面５５７を押し込まれることによって、先端５５３が開拡し、拡径している。
【００３６】
第１部材３は、頭部３１の溝３５に第２部材５の第１鍔部５１、及び、側壁５５１の後端５５２を収容している。具体的に、第１部材３は、頭部３１の裏面３１２が、挿入孔５９５の縁、すなわち、側壁５５１の後端５５２に掛止するとともに、第１鍔部５１の上面５１１、及び、第２鍔部５３の上面５３１にも掛止した状態となっている。更に、第１部材３は、頭部３１の裏面３１２が、第２部材５の第１鍔部５１の側端５１２に当接している。
【００３７】
この状態において、取付物体７１からリベット１に対して、底面側から平面側へ向かう力Ｆ１１、Ｆ１２を加えると、力Ｆ１１、Ｆ１２は、第２鍔部５３を経由して、第１鍔部５１に作用し、リベット１全体を取付孔７１１、７３１から押し上げようとする。しかし、リベット１は、脚部５５の拡径した部分が被取付物体７３の取付孔７３１の縁に掛止することによって、取付孔７１１、７３１から押し上げられない。従って、取付物体７１、及び、被取付物体７３の結合状態が維持される。
【００３８】
力Ｆ１１、Ｆ１２が、第２鍔部５３を経由して、第１鍔部５１に作用するという観点からすれば、第１鍔部５１、及び、第２鍔部５３は、一体となっていてもよい。このような場合、第２部材５は、側壁５５１に１つの鍔部を設けられていることになる。
【００３９】
リベット１は、第１部材３の頭部３１の裏面３１２が、第２部材５の第１鍔部５１の側端５１２に当接しているので、力Ｆ１１、Ｆ１２と垂直な力Ｆ２１を第１部材３の頭部３１に加えられても、力Ｆ２１が、頭部３１の溝３５に収容された第１鍔部５１、及び、脚部５５の側壁５５１を経由して、被取付物体７３にも分散される。
【００４０】
図示された範囲からは必ずしも明らかではないが、第１部材３は、頭部３１の裏面３１２のうち環状の溝３５の縁となる部分の全体が、第２部材５の第２鍔部５３の上面５３１と密着している。従って、リベット１は、頭部３１と、第２鍔部５３との間に指先等を挿入して、第１部材３が第２部材５から容易に引き抜かれる不具合を生じない。
【００４１】
第１部材３が、第２部材５から容易に引き抜かれないという意味においては、リベット１は、頭部３１、及び、第２鍔部５３が、頭部３１と、第２鍔部５３との間に容易に指先等を挿入できない構造であればよい。従って、例えば、リベット１は、平面視して、頭部３１の外周に囲まれる領域と重複する第２鍔部５３の上面５３１に触れられない構造であればよい。
【００４２】
一方、図７を参照すると、図６とは異なり、第１部材３は、頭部３１の裏面３１２が第２鍔部５３の上面５３１に掛止していない。これは、平面視すると、第２部材５の第２鍔部５３が、その外周によって囲まれる領域内に、第１部材３の頭部３１の外周全体が位置する形状、及び、大きさとなっていないことを意味する。
【００４３】
この状態において、取付物体７１からリベット１に、底面側から平面側へ向かう力Ｆ３１、Ｆ３２を加えると、力Ｆ３１、Ｆ３２は、第１部材３の頭部３１の裏面３１２に直接作用し、第１部材３を第２部材５の挿入孔５９５から押し上げる。その結果、リベット１は、脚部５５の開拡、及び拡径状態が解除され、取付物体７１が被取付物体７３から取り外されてしまう不具合を生じる。
【００４４】
図１乃至６において、リベット１は、第１部材３と、第２部材５とを含み、第１部材３は、表面３１１が無段差の連続面となっているので、頭部３１の表面３１１を容易に掴めない。従って、リベット１は、第１部材３の挿入部３３を第２部材５の挿入孔５９５に挿入した場合、第１部材３が頭部３１の表面３１１を掴まれて、第２部材５から容易に引き抜かれる不具合を生じないので、使用状態の維持能力が高い。
【００４５】
また、例えば、表面３１１が段差のある不連続面だと、リベット１を取り扱う者が、段差等によって生じる角部で手を切ってしまうことが考えられるが、表面３１１が無段差の連続面の場合、このような角部は生じないから、リベット１は、リベット１を取り扱う者の負傷防止効果が高い。
【００４６】
第１部材３は、頭部３１の裏面３１２から突出する挿入部３３を有し、第２部材５は、一方向に延びる挿入孔５９５を有する脚部を有しているので、第１部材３の挿入部３３を第２部材５の挿入孔５９５に挿入しても、頭部３１の裏面３１２が、その挿入孔５９５の縁に掛止することによって、第１部材３が挿入方向に押し抜かれるという不具合を生じない。
【００４７】
従って、リベット１は、挿入部３３が取付物体７１、又は、被取付物体７３の内部に残存する不具合が生じることはなくなり、使用後、取付物体７１、及び、被取付物体７３からの取り外し作業が容易となる。さらに、リベット１は、挿入部３３に押し抜き防止のためのローレットを設けることなく、頭部３１の表面３１１を押すだけで、挿入部３３を挿入孔５９５へ押し込むことが可能となるので、取り付け作業が容易となる。
【００４８】
第２部材５は、脚部５５の挿入孔５９５を包囲する側壁５５１に設けられる第１鍔部５１と、第２鍔部５３とを有しているので、脚部５５が、取付物体７１の取付孔７１１、及び、被取付物体７３の取付孔７３１に挿入された場合、第１鍔部５１が第２鍔部５３の貫通孔５３３の縁となる上面５３１に掛止し、第２鍔部５３が取付孔７１１の縁に掛止する。従って、第２部材は、取付孔７１１、７３１から容易に押し抜かれるという不具合を生じない。
【００４９】
第２部材５は、挿入孔５９５に、第１部材３の挿入部３３を挿入されるとき、脚部５５が拡径するので、第２部材５の脚部５５が、取付物体７１の取付孔７１１、及び、被取付物体７３の取付孔７３１に挿入された状態で拡径すると、脚部５５を挿入方向と反対方向に引き抜こうとしても、脚部５５の拡径した部分が取付孔７３１の縁に掛止する。
【００５０】
従って、第２部材５は、取付物体７１、及び、被取付物体７３から容易に引き抜かれる不具合を生じない。この場合、第２部材は、第２鍔部５３、及び、脚部５５の拡径した部分の間で取付物体７１、及び、被取付物体７３を挟持し、結合させることが可能となる。
【００５１】
第１部材３は、第２部材５の挿入孔５９５に、第１部材３の挿入部３３を挿入されるとき、頭部３１の外周Ｃ１全体が、平面視して、第２部材５の第２鍔部５３の外周Ｃ２によって囲まれる領域内に位置する形状、及び、大きさとなっている。
【００５２】
このような構造によると、取付物体７１からリベット１に加えられる力Ｆ１１、Ｆ１２は、第２部材５の第２鍔部５３を経由して、第１鍔部５１に作用し、リベット１全体を取付孔７１１、７３１から押し上げようとする。
【００５３】
しかし、リベット１は、脚部５５の拡径した部分が被取付物体７３の取付孔７３１の縁に掛止することによって、取付孔７１１、７３１から押し上げられない。すなわち、取付物体７１からリベット１に加わる力Ｆ１１、Ｆ１２は、第１部材３に直接作用しなくなり、リベット１は、その力Ｆ１１、Ｆ１２によって、第１部材３が第２部材５から容易に引き抜かれる不具合を生じない。従って、リベット１の使用状態の維持能力が高まる。
【００５４】
第１部材３は、力Ｆ１１、Ｆ１２と垂直な力Ｆ２１を第１部材３の頭部３１に加えられても、力Ｆ２１が、被取付物体７３にも分散されるので、挿入部３３が力Ｆ２１によって容易に折られる不具合を生じない。
【００５５】
図８は、本発明のもう一つの実施形態に係るリベット１の使用状態を示す正面断面図である。図８を参照すると、リベット１は、第１部材３の挿入部３３が、第２部材５の挿入孔５９５に挿入されており、第１部材３の頭部３１が、第２部材５の第１鍔部５１の上面５１１、及び、第２鍔部５３の上面５３１を外部から触れることができないように覆っている。
【００５６】
図８からは必ずしも明らかではないが、平面視して、第２部材５の第２鍔部５３の外周、及び、第１部材３の頭部３１の外周は、完全一致しており、第１部材３の頭部３１が、第２部材５の第１鍔部５１の上面５１１全体、及び、第２鍔部５３の上面５３１全体を外部から触れることができないように覆っている。
【００５７】
図８の構造の利点を、図６と比較しながら説明する。図６の場合、第２鍔部５３の上面５３１に工具の先端を当て、工具の先端を上面５３１に沿って頭部３１まで移動させると、工具の先端は、頭部３１の裏面３１２と第２鍔部５３の上面５３１の境界に突き当たる。その際、工具の先端をその境界に差し込むことによって、リベット１は、第１部材３が工具によって頭部３１を持ち上げられ、結果として、第１部材３が第２部材５から抜かれてしまうという不具合を生じる。
【００５８】
これに対して、図８の場合、第２鍔部５３の上面５３１全体が、第１部材３の頭部３１によって外部から触れることができないように覆われているので、当然、工具の先端を第２鍔部５３の上面５３１に当てることができなくなり、工具の先端を頭部３１の裏面３１２、及び、第２鍔部５３の上面５３１の境界に容易に突き当て、その境界に差し込むこともできなくなる。従って、リベット１は、第１部材３が、工具によって頭部３１を持ち上げられ、第１部材３が第２部材５から引き抜かれてしまう不具合を生じない。従って、リベット１の使用状態の維持能力が高まる。
【００５９】
図９は、本発明の実施形態に係る照明脱着防止具の使用方法を示す斜視図であり、図１０は、本発明の実施形態に係る照明脱着防止具の使用状態を示す斜視図である。図９、及び、図１０を参照すると、本発明に係るリベット１は、ＬＥＤランプ９１の脱着作業を防止する固定金具７５と組み合わされて使用されることにより、照明脱着防止具７を構成する。
【００６０】
ＬＥＤランプ９１は、ソケット７９を備える既設の照明支持具７７に、ソケット７９を介して装着されている。照明支持具７７は、例えば、反射板である。ＬＥＤランプ９１は、直流変換機能を有しており、例えば、直管型ＬＥＤランプである。
【００６１】
取付物体となる固定金具７５は、アーチ状に湾曲し、一端側が、折り曲げられ、フック７５２となっており、他端側に、取付孔７５１が設けられている。固定金具７５は、例えば、ステンレス製の針金１本を折り曲げて形成できる。この場合、取付孔７５１は、針金の一端側を丸めて形成できる。
【００６２】
固定金具７５は、アーチ状に湾曲した部分でＬＥＤランプ９１を跨ぎ、被取付物体となる既設の照明支持具７７に設けられた取付孔７７１にフック７５２を挿し込まれて、取付孔７５１を照明支持具７７の取付孔７７２に合わせた状態で、取付孔７５１、７７２にリベット１を挿入されることによって、照明支持具７７に取り付けられる。このようにして、照明脱着防止具７は、ＬＥＤランプ９１、及び、照明支持具７７と組み合わされることによって、照明装置を構成する。
【００６３】
固定金具７５が、ＬＥＤランプ９１を跨ぐように照明支持具７７に取り付けられているので、ＬＥＤランプ９１の脱着作業は、固定金具７５を照明支持具７７から取り外さない限り行えない。
【００６４】
また、リベット１は、本発明に係るものであり、取り付け作業、及び、使用後の取り外し作業が容易であり、かつ、使用状態を維持する能力が高く、子供等のいたずらによって、使用状態を容易に解除されることはない。従って、リベット１によって照明支持具７７に取り付けられている固定金具７５は、取り付け作業、及び、使用後の取り外し作業が容易であり、かつ、照明支持具７７に取り付けられている最中に容易に取り外されることはない。
【００６５】
このような照明脱着防止具７は、電気工事を熟知していない者による、ＬＥＤランプ９１の容易な脱着作業を防止し、かつ、既設の照明支持具７７にも容易に対応できる。
【００６６】
以上、好ましい実施例を参照して本発明の内容を具体的に説明したが、本発明の基本的技術思想、及び、教示に基づいて、当業者であれば、種々の変形態様を採り得ることは自明である。
【符号の説明】
【００６７】
１                リベット
３                第１部材
３１              頭部
３３              挿入部
５                第２部材
５１              第１鍔部
５３              第２鍔部
５５              脚部
５５１            側壁
５９５            挿入孔
７                照明脱着防止具
７１              取付物体
７３              被取付物体
７５              固定金具
７７              照明支持具
７９              ソケット
【図１】
2014101995.tif 000003
【図２】
2014101995.tif 000004
【図３】
2014101995.tif 000005
【図４】
2014101995.tif 000006
【図５】
2014101995.tif 000007
【図６】
2014101995.tif 000008
【図７】
2014101995.tif 000009
【図８】
2014101995.tif 000010
【図９】
2014101995.tif 000011
【図１０】
2014101995.tif 000012
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
第１部材と、第２部材とを含むリベットであって、
前記第１部材は、表面が無段差の連続面となっている頭部と、前記頭部の裏面から突出する挿入部とを有しており、
前記頭部は、前記裏面側に溝が形成されており、
前記第２部材は、開口部から一方向に延びる挿入孔を有する脚部と、前記脚部の前記挿入孔を包囲する側壁に設けられた第１鍔部と、前記側壁に設けられる第２鍔部とを有しており、
前記第２鍔部は、前記第１鍔部に対して、前記一方向側に設けられるものであり、前記側壁に設けられたとき、平面視して、上面の範囲内に、前記第１鍔部の外周全体が位置する大きさとなっており、
前記第２部材の前記挿入孔に、前記第１部材の前記挿入部が挿入されたとき、
（ｉ）前記第２部材の前記第１鍔部の側端が、前記第１部材の前記頭部の前記裏面に含まれる前記溝の側面に当接し、
（ｉｉ）前記第１部材の前記頭部が、前記第２部材の前記第１鍔部の上面、及び、前記第２部材の前記側壁に設けられた前記第２鍔部の前記上面の全体を触れられないように覆い、
（ｉｉｉ）前記第１部材の前記頭部の外周全体が、平面視して、前記第２部材の前記側壁に設けられた前記第２鍔部の外周によって囲まれる領域内に位置し、前記第２部材の前記脚部が拡径する、
リベット。
【請求項２】
請求項１に記載されたリベットであって、
前記第１部材の前記頭部の前記溝は、環状に形成されており、
前記第２部材の前記第１鍔部は、前記第２部材の前記側壁を包囲し、
前記第２部材の前記第２鍔部は、貫通孔を有し、前記貫通孔に前記脚部を圧入することができる、
リベット。
【手続補正書】
【提出日】平成25年7月5日(2013.7.5)
【手続補正１】
【補正対象書類名】明細書
【補正対象項目名】全文
【補正方法】変更
【補正の内容】
【発明の詳細な説明】
【技術分野】
【０００１】
本発明は、リベット、照明脱着防止具、及び、照明装置に関する。
【背景技術】
【０００２】
従来、複数の物体を互いに結合するためには、例えば、特許文献１に開示されているようなリベットを用いる方法が知られている。特許文献１に開示されているリベットは、中空リベット本体に挿入ピンを押し込み、中空リベット本体の先端部を開拡させ、開拡した先端部、及び、鍔状の頭部の間において、中空リベット本体の貫通した複数の物体を結合する仕組みとなっている。
【０００３】
このようなリベットは、結合する物体の用途によっては、使用中に、物体から容易に取り外せるものであってはならず、使用状態の維持能力が高いものである必要がある。
【０００４】
特許文献１に開示されたリベットは、使用状態の維持能力を高めるため、挿入ピンの外周壁をローレット形状とし、挿入ピンを中空リベット本体から容易に押し抜きできない構造となっている。その分、挿入ピンを中空リベット本体に押し込む際には、一定以上の押し圧が必要となり、その押し込み作業には、ハンマー等の工具が必要となる。しかし、これでは、リベットの取り付け作業が容易とは言えない。
【０００５】
さらに、特許文献１に開示されたリベットは、使用を終えて、結合された物体から取り外す場合、中空リベット本体から挿入ピンを押し抜き、中空リベット本体の先端部の開拡を解除する必要がある。従って、押し抜かれた挿入ピンが物体内部に残存する不具合が生じる。物体内部に残存した挿入ピンは、物体の構造によっては、容易に取り出すことができず、不都合を生じる場合も少なくなく、リベットの取り外し作業が容易とは言えない。
【０００６】
また、近年、ソケットに脱着可能なＬＥＤランプが一般家庭等に急速に普及している。ＬＥＤランプには、直流変換機能を有するタイプと、その機能を有しないタイプとがあり、その機能を有しないタイプのＬＥＤランプがソケットに誤接続される危険性がある。
【０００７】
このような状況下、製品安全の観点からは、電気工事を熟知していない者による、ソケットへのＬＥＤランプの容易な脱着作業を防止する手法の確立が必要となっている。ＬＥＤランプは、ソケットを備える既設の照明支持具に装着されることが多く、その手法は、既設の照明支持具にも容易に対応できるものであることが望ましい。
【先行技術文献】
【特許文献】
【０００８】
【特許文献１】特開２０００−１７０７２８号公報
【発明の概要】
【発明が解決しようとする課題】
【０００９】
本発明の課題は、取り付け作業、及び、使用後の取り外し作業が容易であり、かつ、使用状態の維持能力が高いリベットを提供することである。
【００１０】
本発明のもう一つの課題は、ＬＥＤランプの容易な脱着作業を防止し、かつ、既設の照明支持具にも容易に対応する照明脱着防止具、及び、その照明脱着防止具を含む照明装置に関する。
【課題を解決するための手段】
【００１１】
上述した課題の少なくとも１つを解決するため、本発明に係るリベットは、第１部材と、第２部材とを含む。第１部材は、表面が無段差の連続面となっている頭部と、頭部の裏面から突出する挿入部とを有している。第２部材は、一方向に延びる挿入孔を有する脚部と、脚部の挿入孔を包囲する側壁に設けられる鍔部とを有している。第２部材の挿入孔に、第１部材の挿入部を挿入されるとき、第１部材の頭部の外周全体が、平面視して、第２部材の鍔部の外周によって囲まれる領域内に位置し、第２部材の脚部が拡径する。
【００１２】
上述したとおり、本発明に係るリベットは、第１部材と、第２部材とを含み、第１部材は、表面が無段差の連続面となっている頭部を有しているので、頭部の表面を容易に掴めない。従って、例えば、第１部材を第２部材に挿入した場合、第１部材は、頭部の表面を掴まれて、第２部材から容易に引き抜かれる不具合を生じないので、リベットの使用状態の維持能力が高い。また、第１部材は、表面に角部は生じないから、負傷防止効果が高い。
【００１３】
第１部材は、頭部の裏面から突出する挿入部を有し、第２部材は、一方向に延びる挿入孔を有する脚部を有しているので、第１部材の挿入部を第２部材の挿入孔に挿入しても、頭部が、その挿入孔の縁に掛止することによって、挿入方向に押し抜かれるという不具合を生じない。従って、リベットは、挿入部が物体の内部に残存する不具合を生じることはなくなり、使用後、物体からの取り外し作業が容易となる。さらに、リベットは、挿入部に押し抜き防止のためのローレットを設けることなく、頭部の表面を押すだけで、挿入部を挿入孔へ押し込むことが可能となるので、取り付け作業が容易となる。
【００１４】
第２部材は、脚部の挿入孔を包囲する側壁に設けられる鍔部とを有しているので、脚部が結合対象となる物体の貫通孔に挿入された場合、鍔部が貫通孔の縁に掛止することによって、挿入方向に容易に押し抜かれるという不具合を生じない。
【００１５】
第２部材は、第２部材の挿入孔に、第１部材の挿入部を挿入されるとき、脚部が拡径するので、脚部が、結合対象となる物体の貫通孔に挿入された状態で拡径すると、脚部を挿入方向と反対方向に引き抜こうとしても、脚部の拡径した部分が物体の貫通孔の縁に掛止することによって、物体から容易に引き抜かれる不具合を生じない。この場合、第２部材は、鍔部、及び、脚部の拡径した部分の間で複数の物体を挟持し、結合させることが可能となる。
【００１６】
第１部材は、第２部材の挿入孔に、挿入部を挿入されるとき、第１部材の頭部の外周全体が、平面視して、第２部材の鍔部の外周によって囲まれる領域内に位置するので、第２部材の脚部が、結合対象となる物体の貫通孔に挿入され、鍔部、及び、脚部の拡径した部分の間で物体を挟持する場合、物体から加えられる力が、第１部材に直接作用しなくなり、その力によって、第１部材が、第２部材から容易に引き抜かれる不具合を生じない。従って、リベットの使用状態の維持能力が高まる。
【００１７】
第１部材は、挿入部が第２部材の挿入孔に挿入されるとき、頭部が、第２部材の鍔部の上面全体を触れられないように覆うことが好ましい。このような構造によると、例えば、第１部材が第２部材に限界まで挿入されている場合、工具の先端を鍔部の上面に当てることができず、工具の先端を頭部、及び、鍔部の上面の境界に容易に突き当て、その境界に差し込むことができなくなる。従って、第１部材が、工具によって頭部を持ち上げられ、第１部材が第２部材から容易に引き抜かれる不具合を生じず、リベットの使用状態の維持能力が高まる。
【００１８】
本発明に係るリベットは、アーチ状に湾曲した固定金具と組み合わされて、照明脱着防
止具を構成することもできる。固定金具は、アーチ部分によって、直管型ＬＥＤランプを跨ぐものである。固定金具は、リベットを通すことができる取付孔が設けられることによって、本発明に係るリベットを用いて、既設の照明支持具に固定できる。
【００１９】
このような照明脱着防止具は、照明支持具、及び、照明支持具に設けられているソケットに装着されたＬＥＤランプと組み合わされて、照明装置を構成する。照明装置において、照明脱着防止具は、固定金具が、ＬＥＤランプを跨ぐように、本発明に係るリベットによって照明支持具に装着されている。
【００２０】
本発明に係るリベットは、取り付け作業、及び、使用後の取り外し作業が容易であり、かつ、使用状態の維持能力が高く、子供等のいたずらによって、使用状態を容易に解除されることはない。従って、このような照明脱着防止具は、電気工事を熟知していない者による、ＬＥＤランプの容易な脱着作業を防止し、かつ、既設の照明支持具にも容易に対応できる。
【発明の効果】
【００２１】
以上に述べたように、本発明によれば、取り付け作業、及び、使用後の取り外し作業が容易であり、かつ、使用状態の維持能力が高いリベットを提供することができる。
【００２２】
さらに、本発明によれば、ＬＥＤランプの容易な脱着作業を防止し、かつ、既設のソケットにも容易に対応する照明脱着防止具、及び、その照明脱着防止具を含む照明装置を提供することができる。
【００２３】
本発明の構成、及び、利点については、添付図面を参照し、更に詳しく説明する。添付図面は、単に、例示に過ぎない。
【図面の簡単な説明】
【００２４】
【図１】参考例に係るリベットの分解正面断面図である。
【図２】参考例に係るリベットの正面図である。
【図３】図２の平面図である。
【図４】図２の底面図である。
【図５】図３の５−５線断面図である。
【図６】参考例に係るリベットの使用状態を示す正面断面図である。
【図７】図６の比較例を示す正面断面図である。
【図８】本発明の実施形態に係るリベットの使用状態を示す正面断面図である。
【図９】本発明の実施形態に係る照明脱着防止具の使用方法を示す斜視図である。
【図１０】本発明の実施形態に係る照明脱着防止具の使用状態を示す斜視図である。
【発明を実施するための形態】
【００２５】
図１乃至図１０において、同一符号は、同一、又は、対応部分を示すものとする。図１のリベットは、第１部材３と、第２部材５とを含んでいる。
【００２６】
第１部材３は、第２部材５に脱着可能に取り付けられるものであり、頭部３１と、挿入部３３とを有している。頭部３１は、ドーム型の形状であり、表面３１１が無段差の連続面となっている。挿入部３３は、頭部３１の裏面３１２から一方向に向かって突出し、頭部３１の裏面３１２との間に溝３５を形成している。この溝３５は、裏面３１２側から見ると、環状となっている。第１部材３は、例えば、弾性を有する合成樹脂によって形成できる。
【００２７】
第２部材５は、脚部５５を有している。脚部５５は、筒状の側壁５５１によって形成されており、側壁５５１の後端５５２によって囲まれる開口部５７３を有している。側壁５５１は、先端５５３から開口部５７３に向かうスリット５５４が形成されており、内面５
５５の先端がテーパ面５５７となっている。側壁５５１は、例えば、弾性を有する合成樹脂によって形成できる。
【００２８】
脚部５５は、側壁５５１によって包囲された一方向に延びる挿入孔５９５を有している。挿入孔５９５は、開口部５７３からテーパ面５５７にまで至り、第１部材３の挿入部３３を挿入可能となっている。挿入孔５９５は、第１部材３の挿入部３３よりも多少小径に形成されているので、第１部材３の挿入部３３を圧入できる。脚部５５は、テーパ面５５７を押し込まれることによって、先端５５３が開拡し、拡径する仕組みとなっている。
【００２９】
第２部材５は、第１鍔部５１を有している。第１鍔部５１は、脚部５５の開口部５７３を取り囲むように、脚部５５の挿入孔５９５を包囲する側壁５５１の外面５５６に設けられており、上面５１１に対して、側端５１２が傾斜している。第１鍔部５１の上面５１１、及び、脚部５５の後端５５２は、同一面内に位置している。第１鍔部５１は、脚部５５の側壁５５１に強固に取り付けられており、側壁５５１から容易に分離されない。第１鍔部５１は、例えば、側壁５５１それ自体を鍔状に加工したものであってもよい。
【００３０】
第２部材５は、第２鍔部５３を有している。第２鍔部５３は、上面５３１から底面５３２に向かう貫通孔５３３を有した板材であり、脚部５５の側壁５５１の外面５５６に脱着可能に設けられるものである。第２鍔部５３は、貫通孔５３３が脚部５５よりも多少小径に形成されているので、貫通孔５３３に脚部５５を圧入できる。第２鍔部５３は、例えば、金属製のワッシャーであることが考えられる。
【００３１】
図２は、参考例に係るリベットの正面図であり、図３は、図２の平面図であり、図４は、図２の底面図であり、図５は、図４の５−５線断面図である。
【００３２】
図２乃至図５を参照すると、リベットは、第２部材５の脚部５５が開拡しない程度に、第１部材３の挿入部３３が第２部材５の挿入孔５９５に圧入されている。第２部材５は、第２鍔部５３の貫通孔５３３に脚部５５の側壁５５１が圧入されている。第１部材３は、平面視して、頭部３１の外周Ｃ１全体が、第２部材５の第２鍔部５３の外周Ｃ２によって囲まれる領域内に位置する形状、及び、大きさとなっている。
【００３３】
図６は、参考例に係るリベットの使用状態を示す正面断面図であり、図７は、図６の比較例を示す正面断面図である。図６に示すリベットの断面は、図５に示すリベットの断面に対応している。図６を参照すると、環状の取付物体７１が、板状の被取付物体７３にリベット１によって取り付けられており、被取付物体７３と結合状態にある。
【００３４】
第２部材５は、脚部５５の側壁５５１に第２鍔部５３が設けられており、第１鍔部５１が第２鍔部５３の貫通孔５３３の縁となる上面５３１に掛止した状態で、脚部５５が取付物体７１の取付孔７１１、及び、被取付物体７３の取付孔７３１に挿入されている。
【００３５】
第２部材５は、第２鍔部５３が取付物体７１の取付孔７１１の縁に掛止しており、脚部５５の挿入孔５９５に第１部材３の挿入部３３が挿入されており、脚部５５が挿入部３３によってテーパ面５５７を押し込まれることによって、先端５５３が開拡し、拡径している。
【００３６】
第１部材３は、頭部３１の溝３５に第２部材５の第１鍔部５１、及び、側壁５５１の後端５５２を収容している。具体的に、第１部材３は、頭部３１の裏面３１２が、挿入孔５９５の縁、すなわち、側壁５５１の後端５５２に掛止するとともに、第１鍔部５１の上面５１１、及び、第２鍔部５３の上面５３１にも掛止した状態となっている。更に、第１部材３は、頭部３１の裏面３１２が、第２部材５の第１鍔部５１の側端５１２に当接している。
【００３７】
この状態において、取付物体７１からリベット１に対して、底面側から平面側へ向かう力Ｆ１１、Ｆ１２を加えると、力Ｆ１１、Ｆ１２は、第２鍔部５３を経由して、第１鍔部５１に作用し、リベット１全体を取付孔７１１、７３１から押し上げようとする。しかし、リベット１は、脚部５５の拡径した部分が被取付物体７３の取付孔７３１の縁に掛止することによって、取付孔７１１、７３１から押し上げられない。従って、取付物体７１、及び、被取付物体７３の結合状態が維持される。
【００３８】
力Ｆ１１、Ｆ１２が、第２鍔部５３を経由して、第１鍔部５１に作用するという観点からすれば、第１鍔部５１、及び、第２鍔部５３は、一体となっていてもよい。このような場合、第２部材５は、側壁５５１に１つの鍔部を設けられていることになる。
【００３９】
リベット１は、第１部材３の頭部３１の裏面３１２が、第２部材５の第１鍔部５１の側端５１２に当接しているので、力Ｆ１１、Ｆ１２と垂直な力Ｆ２１を第１部材３の頭部３１に加えられても、力Ｆ２１が、頭部３１の溝３５に収容された第１鍔部５１、及び、脚部５５の側壁５５１を経由して、被取付物体７３にも分散される。
【００４０】
図示された範囲からは必ずしも明らかではないが、第１部材３は、頭部３１の裏面３１２のうち環状の溝３５の縁となる部分の全体が、第２部材５の第２鍔部５３の上面５３１と密着している。従って、リベット１は、頭部３１と、第２鍔部５３との間に指先等を挿入して、第１部材３が第２部材５から容易に引き抜かれる不具合を生じない。
【００４１】
第１部材３が、第２部材５から容易に引き抜かれないという意味においては、リベット１は、頭部３１、及び、第２鍔部５３が、頭部３１と、第２鍔部５３との間に容易に指先等を挿入できない構造であればよい。従って、例えば、リベット１は、平面視して、頭部３１の外周に囲まれる領域と重複する第２鍔部５３の上面５３１に触れられない構造であればよい。
【００４２】
一方、図７を参照すると、図６とは異なり、第１部材３は、頭部３１の裏面３１２が第２鍔部５３の上面５３１に掛止していない。これは、平面視すると、第２部材５の第２鍔部５３が、その外周によって囲まれる領域内に、第１部材３の頭部３１の外周全体が位置する形状、及び、大きさとなっていないことを意味する。
【００４３】
この状態において、取付物体７１からリベット１に、底面側から平面側へ向かう力Ｆ３１、Ｆ３２を加えると、力Ｆ３１、Ｆ３２は、第１部材３の頭部３１の裏面３１２に直接作用し、第１部材３を第２部材５の挿入孔５９５から押し上げる。その結果、リベット１は、脚部５５の開拡、及び拡径状態が解除され、取付物体７１が被取付物体７３から取り外されてしまう不具合を生じる。
【００４４】
図１乃至６において、リベット１は、第１部材３と、第２部材５とを含み、第１部材３は、表面３１１が無段差の連続面となっているので、頭部３１の表面３１１を容易に掴めない。従って、リベット１は、第１部材３の挿入部３３を第２部材５の挿入孔５９５に挿入した場合、第１部材３が頭部３１の表面３１１を掴まれて、第２部材５から容易に引き抜かれる不具合を生じないので、使用状態の維持能力が高い。
【００４５】
また、例えば、表面３１１が段差のある不連続面だと、リベット１を取り扱う者が、段差等によって生じる角部で手を切ってしまうことが考えられるが、表面３１１が無段差の連続面の場合、このような角部は生じないから、リベット１は、リベット１を取り扱う者の負傷防止効果が高い。
【００４６】
第１部材３は、頭部３１の裏面３１２から突出する挿入部３３を有し、第２部材５は、一方向に延びる挿入孔５９５を有する脚部を有しているので、第１部材３の挿入部３３を第２部材５の挿入孔５９５に挿入しても、頭部３１の裏面３１２が、その挿入孔５９５の縁に掛止することによって、第１部材３が挿入方向に押し抜かれるという不具合を生じない。
【００４７】
従って、リベット１は、挿入部３３が取付物体７１、又は、被取付物体７３の内部に残存する不具合が生じることはなくなり、使用後、取付物体７１、及び、被取付物体７３からの取り外し作業が容易となる。さらに、リベット１は、挿入部３３に押し抜き防止のためのローレットを設けることなく、頭部３１の表面３１１を押すだけで、挿入部３３を挿入孔５９５へ押し込むことが可能となるので、取り付け作業が容易となる。
【００４８】
第２部材５は、脚部５５の挿入孔５９５を包囲する側壁５５１に設けられる第１鍔部５１と、第２鍔部５３とを有しているので、脚部５５が、取付物体７１の取付孔７１１、及び、被取付物体７３の取付孔７３１に挿入された場合、第１鍔部５１が第２鍔部５３の貫通孔５３３の縁となる上面５３１に掛止し、第２鍔部５３が取付孔７１１の縁に掛止する。従って、第２部材は、取付孔７１１、７３１から容易に押し抜かれるという不具合を生じない。
【００４９】
第２部材５は、挿入孔５９５に、第１部材３の挿入部３３を挿入されるとき、脚部５５が拡径するので、第２部材５の脚部５５が、取付物体７１の取付孔７１１、及び、被取付物体７３の取付孔７３１に挿入された状態で拡径すると、脚部５５を挿入方向と反対方向に引き抜こうとしても、脚部５５の拡径した部分が取付孔７３１の縁に掛止する。
【００５０】
従って、第２部材５は、取付物体７１、及び、被取付物体７３から容易に引き抜かれる不具合を生じない。この場合、第２部材は、第２鍔部５３、及び、脚部５５の拡径した部分の間で取付物体７１、及び、被取付物体７３を挟持し、結合させることが可能となる。
【００５１】
第１部材３は、第２部材５の挿入孔５９５に、第１部材３の挿入部３３を挿入されるとき、頭部３１の外周Ｃ１全体が、平面視して、第２部材５の第２鍔部５３の外周Ｃ２によって囲まれる領域内に位置する形状、及び、大きさとなっている。
【００５２】
このような構造によると、取付物体７１からリベット１に加えられる力Ｆ１１、Ｆ１２は、第２部材５の第２鍔部５３を経由して、第１鍔部５１に作用し、リベット１全体を取付孔７１１、７３１から押し上げようとする。
【００５３】
しかし、リベット１は、脚部５５の拡径した部分が被取付物体７３の取付孔７３１の縁に掛止することによって、取付孔７１１、７３１から押し上げられない。すなわち、取付物体７１からリベット１に加わる力Ｆ１１、Ｆ１２は、第１部材３に直接作用しなくなり、リベット１は、その力Ｆ１１、Ｆ１２によって、第１部材３が第２部材５から容易に引き抜かれる不具合を生じない。従って、リベット１の使用状態の維持能力が高まる。
【００５４】
第１部材３は、力Ｆ１１、Ｆ１２と垂直な力Ｆ２１を第１部材３の頭部３１に加えられても、力Ｆ２１が、被取付物体７３にも分散されるので、挿入部３３が力Ｆ２１によって容易に折られる不具合を生じない。
【００５５】
図８は、本発明の実施形態に係るリベット１の使用状態を示す正面断面図である。図８を参照すると、リベット１は、第１部材３の挿入部３３が、第２部材５の挿入孔５９５に挿入されており、第１部材３の頭部３１が、第２部材５の第１鍔部５１の上面５１１、及び、第２鍔部５３の上面５３１を外部から触れることができないように覆っている。
【００５６】
図８からは必ずしも明らかではないが、平面視して、第２部材５の第２鍔部５３の外周、及び、第１部材３の頭部３１の外周は、完全一致しており、第１部材３の頭部３１が、第２部材５の第１鍔部５１の上面５１１全体、及び、第２鍔部５３の上面５３１全体を外部から触れることができないように覆っている。
【００５７】
図８の構造の利点を、図６と比較しながら説明する。図６の場合、第２鍔部５３の上面５３１に工具の先端を当て、工具の先端を上面５３１に沿って頭部３１まで移動させると、工具の先端は、頭部３１の裏面３１２と第２鍔部５３の上面５３１の境界に突き当たる。その際、工具の先端をその境界に差し込むことによって、リベット１は、第１部材３が工具によって頭部３１を持ち上げられ、結果として、第１部材３が第２部材５から抜かれてしまうという不具合を生じる。
【００５８】
これに対して、図８の場合、第２鍔部５３の上面５３１全体が、第１部材３の頭部３１によって外部から触れることができないように覆われているので、当然、工具の先端を第２鍔部５３の上面５３１に当てることができなくなり、工具の先端を頭部３１の裏面３１２、及び、第２鍔部５３の上面５３１の境界に容易に突き当て、その境界に差し込むこともできなくなる。従って、リベット１は、第１部材３が、工具によって頭部３１を持ち上げられ、第１部材３が第２部材５から引き抜かれてしまう不具合を生じない。従って、リベット１の使用状態の維持能力が高まる。
【００５９】
図９は、本発明の実施形態に係る照明脱着防止具の使用方法を示す斜視図であり、図１０は、本発明の実施形態に係る照明脱着防止具の使用状態を示す斜視図である。図９、及び、図１０を参照すると、本発明に係るリベット１は、ＬＥＤランプ９１の脱着作業を防止する固定金具７５と組み合わされて使用されることにより、照明脱着防止具７を構成する。
【００６０】
ＬＥＤランプ９１は、ソケット７９を備える既設の照明支持具７７に、ソケット７９を介して装着されている。照明支持具７７は、例えば、反射板である。ＬＥＤランプ９１は、直流変換機能を有しており、例えば、直管型ＬＥＤランプである。
【００６１】
取付物体となる固定金具７５は、アーチ状に湾曲し、一端側が、折り曲げられ、フック７５２となっており、他端側に、取付孔７５１が設けられている。固定金具７５は、例えば、ステンレス製の針金１本を折り曲げて形成できる。この場合、取付孔７５１は、針金の一端側を丸めて形成できる。
【００６２】
固定金具７５は、アーチ状に湾曲した部分でＬＥＤランプ９１を跨ぎ、被取付物体となる既設の照明支持具７７に設けられた取付孔７７１にフック７５２を挿し込まれて、取付孔７５１を照明支持具７７の取付孔７７２に合わせた状態で、取付孔７５１、７７２にリベット１を挿入されることによって、照明支持具７７に取り付けられる。このようにして、照明脱着防止具７は、ＬＥＤランプ９１、及び、照明支持具７７と組み合わされることによって、照明装置を構成する。
【００６３】
固定金具７５が、ＬＥＤランプ９１を跨ぐように照明支持具７７に取り付けられているので、ＬＥＤランプ９１の脱着作業は、固定金具７５を照明支持具７７から取り外さない限り行えない。
【００６４】
また、リベット１は、本発明に係るものであり、取り付け作業、及び、使用後の取り外し作業が容易であり、かつ、使用状態を維持する能力が高く、子供等のいたずらによって、使用状態を容易に解除されることはない。従って、リベット１によって照明支持具７７に取り付けられている固定金具７５は、取り付け作業、及び、使用後の取り外し作業が容易であり、かつ、照明支持具７７に取り付けられている最中に容易に取り外されることはない。
【００６５】
このような照明脱着防止具７は、電気工事を熟知していない者による、ＬＥＤランプ９１の容易な脱着作業を防止し、かつ、既設の照明支持具７７にも容易に対応できる。
【００６６】
以上、好ましい実施例を参照して本発明の内容を具体的に説明したが、本発明の基本的技術思想、及び、教示に基づいて、当業者であれば、種々の変形態様を採り得ることは自明である。
【符号の説明】
【００６７】
１                リベット
３                第１部材
３１              頭部
３３              挿入部
５                第２部材
５１              第１鍔部
５３              第２鍔部
５５              脚部
５５１            側壁
５９５            挿入孔
７                照明脱着防止具
７１              取付物体
７３              被取付物体
７５              固定金具
７７              照明支持具
７９              ソケット